(57)【要約】      （修正有）【課題】被写体を所望のあらゆる角度で撮影してその映像を生成し、表示装置に表示する。【解決手段】ワイヤレスカメラ４は、被写体を撮影してその映像を生成する撮影手段４２と、映像を内部に蓄積せずに、リアルタイムかつダイレクトに表示装置２に無線で送信する無線送信手段４６とを備え、上記表示装置は、表示パネル２２と、記録メディア２５と、上記ワイヤレスカメラから送信された映像を記録メディアに録画する録画手段２４と、上記映像を表示パネルに複数分割表示する表示手段２３とを備える。【選択図】図１
2014011588.tif 000002
【特許請求の範囲】
【請求項１】
表示装置およびワイヤレスカメラを備えている録画表示システムであって、
上記ワイヤレスカメラは、
被写体を撮影してその映像を生成する撮影手段と、
上記映像を内部に蓄積せずに、リアルタイムかつダイレクトに上記表示装置に無線で送信する無線送信手段とを備え、
上記表示装置は、
表示パネルと、
記録メディアと、
上記ワイヤレスカメラから送信された映像を上記記録メディアに録画する録画手段と、
上記映像を表示パネルに複数分割表示する表示手段とを備えていることを特徴とする録画表示システム。
【請求項２】
上記表示装置は、上記ワイヤレスカメラが上記表示装置に装着されているとき、上記ワイヤレスカメラに電力を供給し、
上記ワイヤレスカメラは、充電池をさらに備えると共に、上記ワイヤレスカメラが上記表示装置に装着されているとき、上記表示装置から供給された上記電力を上記充電池に充電することを特徴とする請求項１に記載の録画表示システム。
【請求項３】
複数の上記ワイヤレスカメラを備え、
上記記録メディアには、各ワイヤレスカメラによって生成された複数の映像が保存されており、
上記表示手段は、複数の上記映像のうちユーザによって選択された映像と、当該映像と同時刻に生成された他の上記映像とを並べて表示することを特徴とする請求項１または２に記載の録画表示システム。
【請求項４】
上記記録メディアには、模範者の動作を表す模範映像が予め保存されており、
上記表示手段は、上記映像と模範映像とを並べて上記表示パネルに表示することを特徴とする請求項１〜３のいずれか１項に記載の録画表示システム。
【請求項５】
上記表示手段は、上記映像と上記模範映像とを、互いに異なる速度で表示することを特徴とする請求項４に記載の録画表示システム。
【請求項６】
上記ワイヤレスカメラは、上記映像を有線で上記表示装置に送信する有線送信手段をさらに備え、
上記ワイヤレスカメラが上記表示装置に装着されているとき、上記無線送信手段ではなく上記有線送信手段が上記映像を上記表示装置に送信することを特徴とする請求項１〜５のいずれか１項に記載の録画表示システム。
【請求項７】
上記表示装置と上記ワイヤレスカメラとを接続する接続ケーブルを備え、
上記表示装置は、上記接続ケーブルを通じて上記ワイヤレスカメラに電力を提供すると共に、上記接続ケーブルを通じて上記ワイヤレスカメラに開始信号および停止信号を送信することを特徴とする請求項１〜６のいずれか１項に記載の録画表示システム。
【請求項８】
上記表示パネルの電源がオフされると、上記撮影手段が上記被写体の撮影を開始することを特徴とする請求項１〜７のいずれか１項に記載の録画表示システム。
【請求項９】
上記表示パネルの電源がオンされると、上記撮影手段が上記被写体の撮影を停止することを特徴とする請求項１〜８のいずれか１項に記載の録画表示システム。
【請求項１０】
上記映像は、動画であることを特徴とする請求項１〜９のいずれか１項に記載の録画表示システム。
【発明の詳細な説明】
【技術分野】
【０００１】
本発明は、被写体を撮影してその映像を生成し、その映像を表示かつ録画する録画表示システムに関する。
【背景技術】
【０００２】
現在、液晶テレビの開発は、技術者の指向が強く反映された形で進められる傾向にある。たとえば、画質、応答速度、録画容量等の性能をひたすら高めようとする開発姿勢が、昨今、非常に目立っている。しかし性能向上が消費者の志向にマッチしているとは言い難い。むしろ消費者は、家計節約に繋がる技術、たとえば人感センサーで人の有無を検知し人がいない時にスタンバイ状態にする技術の方が、自らの指向にマッチしていると考えるものである。技術者が感じる製品の魅力だけでは、他社製品との差別化を図ることが難しいので、一般消費者の購買意欲を高めきれない。そのため消費者が購入対象の液晶テレビを選択する際には、値段が安いか否かを最優先の検討材料としがちである。その結果として、液晶テレビが値下がりの一途を辿る構図ができあがってしまっている。
【０００３】
液晶テレビに対して技術者目線の付加価値を与えたとしても、それに反応するのは家電好きな一部の消費者に限られる。大多数の消費者は、製品のデザイン、値段、消費電力等、主婦または若者が反応する基準に基づき、購入対象の液晶テレビを選んでいる。また、家族の中で購買選択権を握っているのも、多くは主婦または子供達である状況である。したがって、他社の液晶テレビとの差別化が可能であり、かつ、消費者の購買意欲を高められる機能を有する液晶テレビを開発することが、技術者に求められている。
【０００４】
このような機能の一つとして、カメラを活用したものが挙げられる。すなわち、単にテレビ番組を再生するだけではなく、カメラで取得したユーザの画像を、何らかの形で活用する機能である。
【０００５】
例えば特許文献１には、模範画像を収録した画像収録手段と、前記模範画像を真似した練習者の練習画像を撮像する撮像手段と、前記画像収録手段からの模範画像と撮像手段により撮像した練習画像とを分割状態に合成処理する画像処理手段と、この画像処理手段により合成した模範画像と練習画像とを画面上に分割表示する表示手段とを有する画像練習装置が開示されている。また、特許文献２には、カメラを用いて撮影した撮影者のプレーと、予め容易された模範者のプレーとを１つの画面上に分割した態様で表示する練習教示装置が開示されている。
【先行技術文献】
【特許文献】
【０００６】
【特許文献１】特開平８−２５１５７７号（１９９６年９月２７日公開）
【特許文献２】実用新案公開後方昭６３−１０６４７５号（１９８８年７月９日公開）
【特許文献３】特開２００７−３２５０９１号（２００７年１２月１３日公開）
【特許文献４】特開２０１１−１６６５３８号（２０１１年８月２５日公開）
【特許文献５】特開２００８−７６６１４号（２００８年４月３日公開）
【特許文献６】特開平１０−２７４９１８号（１９９８年１０月１３日公開）
【特許文献７】特開昭６３−１３９５７４号（１９８８年６月１１日公開）
【特許文献８】特開平６−６３２０２号（１９９４年３月８日公開）
【特許文献９】特開平８−２５１５７７号（１９９６年９月２７日公開）
【特許文献１０】特開２００１−８４３７５号（２００１年３月３０日公開）
【特許文献１１】特開２００７−２０９６５０号（２００７年８月２３日公開）
【発明の概要】
【発明が解決しようとする課題】
【０００７】
特許文献１では、ＣＣＤカメラが画像練習装置に装着されており、取り外すことができない。したがって、ＣＣＤカメラは、画像練習装置の前にいるユーザの方向のみを撮影できるに過ぎない。これにより、手本となる模範画像として利用できる画像は、その方向を撮影した画像に限られてしまう。
【０００８】
一方、特許文献２では、有線のカメラがモニターテレビから離れた位置に配置されており、ゴルファーのスイングを横から撮影できるようになっている。すなわち、撮影方向は練習教示装置の正面には限られない。しかし、特許文献２には、カメラの位置を変更可能であるか否かについて、何ら開示も示唆もなされていない。
【０００９】
本発明は上記の課題を解決するためになされたものであり、本発明の一態様に係る表示装置によれば、被写体を所望のあらゆる角度で撮影してその映像を生成し、表示装置に表示することができるという効果を奏する。
【課題を解決するための手段】
【００１０】
本発明に係る録画表示システムは、上記の課題を解決するために、
表示装置およびワイヤレスカメラを備えている録画表示システムであって、
上記ワイヤレスカメラは、
上記被写体を撮影してその映像を生成する撮影手段と、
上記映像を内部に蓄積せずに、リアルタイムかつダイレクトに上記表示装置に無線で送信する無線送信手段とを備え、
上記表示装置は、
表示パネルと、
記録メディアと、
上記ワイヤレスカメラから送信された映像を上記記録メディアに録画する録画手段と、
上記映像を表示パネルに複数分割表示する表示手段とを備えていることを特徴としている。
【００１１】
上記の構成によれば、録画表示システムを構成するワイヤレスカメラは、表示装置から取り外し、自由に好きな場所に配置することができる。したがって、被写体を所望のあらゆる角度で撮影してその映像を生成し、表示装置に表示することができる。撮影映像はリアルタイムかつダイレクトにワイヤレスカメラから表示装置に無線で送信されるので、ユーザは、撮影映像をリアルタイムで見ることができる。
【００１２】
本発明の一態様に係る録画表示システムでは、さらに、
上記表示装置は、上記ワイヤレスカメラが上記表示装置に装着されているとき、上記ワイヤレスカメラに電力を供給し、
上記ワイヤレスカメラは、充電池をさらに備えると共に、上記ワイヤレスカメラが上記表示装置に装着されているとき、上記表示装置から供給された上記電力を上記充電池に充電することが好ましい。
【００１３】
上記の構成によれば、表示装置がワイヤレスカメラの充電器としての機能を有する。したがって、専用の充電器が不要になる。
【００１４】
本発明の一態様に係る録画表示システムでは、さらに、
複数の上記ワイヤレスカメラを備え、
上記記録メディアには、各ワイヤレスカメラによって生成された複数の映像が保存されており、
上記表示手段は、複数の上記映像のうちユーザによって選択された映像と、当該映像と同時刻に生成された他の上記映像とを並べて表示することが好ましい。
【００１５】
上記の構成によれば、異なるワイヤレスカメラによって同時刻に生成された複数の映像を、ユーザによる簡単な操作によって、ユーザに視認させることができる。
【００１６】
本発明の一態様に係る録画表示システムでは、さらに、
上記記録メディアには、模範者の動作を表す模範画像が予め保存されており、
上記表示手段は、上記映像と模範映像とを並べて上記表示パネルに表示することが好ましい。
【００１７】
上記の構成によれば、ワイヤレスカメラを表示装置から取り外し、被写体を所望の角度で撮影できる場所に配置することができる。したがって、模範映像に映し出される模範者がどのような角度から撮影されていたとしても、それと同じ角度で被写体を撮影することができる。これにより、ユーザは、自身がチェックしたい方向から見た模範者の動作を撮影した模範映像を手に入れさえすれば、同じ方向から見た模範者の動作と自身の動作とを、表示パネルの画面上で確実に見比べられることができる。
【００１８】
本発明の一態様に係る録画表示システムでは、さらに、
上記表示手段は、上記映像と上記模範映像とを、互いに異なる速度で表示することが好ましい。
【００１９】
上記の構成によれば、模範映像の参考の仕方を柔軟に変更することができる。
【００２０】
本発明の一態様に係る録画表示システムでは、さらに、
上記ワイヤレスカメラは、上記映像を有線で上記表示装置に送信する有線送信手段をさらに備え、
上記ワイヤレスカメラが上記表示装置に装着されているとき、上記無線送信手段ではなく上記有線送信手段が上記映像を上記表示装置に送信することが好ましい。
【００２１】
上記の構成によれば、撮影映像を表示装置に送信する際の安定性をより高めることができる。
【００２２】
本発明の一態様に係る録画表示システムでは、さらに、
上記表示装置と上記ワイヤレスカメラとを接続する接続ケーブルを備え、
上記表示装置は、上記接続ケーブルを通じて上記ワイヤレスカメラに電力を提供すると共に、上記接続ケーブルを通じて上記ワイヤレスカメラに開始信号および停止信号を送信することが好ましい。
【００２３】
上記の構成によれば、録画表示システムの構成をより簡素化することができる。
【００２４】
本発明の一態様に係る録画表示システムでは、さらに、
上記表示パネルの電源がオフされると、上記撮影手段が上記被写体の撮影を開始することが好ましい。
【００２５】
上記の構成によれば、ワイヤレスカメラそのものを操作しなくても、自動で撮影を開始させることができる。
【００２６】
本発明の一態様に係る録画表示システムでは、さらに、
上記表示パネルの電源がオンされると、上記撮影手段が上記被写体の撮影を停止することが好ましい。
【００２７】
上記の構成によれば、ワイヤレスカメラそのものを操作しなくても、自動で撮影を停止させることができる。
【００２８】
本発明の一態様に係る録画表示システムでは、さらに、上記映像は、動画であることが好ましい。
【００２９】
上記の構成によれば、たとえば、ユーザの留守中に部屋の様子を長時間録画することができる。
【発明の効果】
【００３０】
本発明の一態様に係る録画表示システムは、被写体を所望のあらゆる角度で撮影してその映像を生成し、表示装置に表示することができるという効果を奏する。
【図面の簡単な説明】
【００３１】
【図１】本発明の第１実施形態に係る録画表示システムの要部構成を示すブロック図である。
【図２】本発明の第１実施形態における録画表示システムの利用形態を示す図である。
【図３】本発明の第１実施形態に係る表示装置におけるカメラモジュールの装着箇所を説明するための図である。
【図４】本発明の第１実施形態に係る表示装置に装着されたワイヤレスカメラの撮影方向の調整方法を説明する図である。
【図５】本発明の第１実施形態に係る表示パネルの画面に表示される、模範動画および撮影動画の一覧を示す図である。
【図６】本発明の第２実施形態における録画表示システムの利用形態を示す図である。
【図７】本発明の第３実施形態における録画表示システムの利用形態を示す図である。
【図８】本発明の第３実施形態に係る表示パネルの画面に表示される、撮影動画の一覧を示す図である。
【発明を実施するための形態】
【００３２】
〔実施形態１〕
本発明の一実施形態について、図１〜図５を参照して以下に説明する。
【００３３】
（録画表示システム１の構成）
図１は、本発明の第１実施形態に係る録画表示システム１の要部構成を示すブロック図である。この図に示すように、録画表示システム１は、表示装置２およびワイヤレスカメラ４を備えている。
【００３４】
表示装置２は、電源スイッチ２１、表示パネル２２、再生部２３（表示手段）、録画部２４（録画手段）、記録メディア２５、無線通信部２６、無線通信部２６（無線送信手段）、および有線通信部２７（有線送信手段）を備えている。ワイヤレスカメラ４は、カメラモジュール４１、撮影部４２（撮影手段）、一時メモリ４３、充電池４４、検出部４５、無線通信部４６、および有線通信部４７を備えている。
【００３５】
表示装置２は、液晶モニターおよび液晶表示等の、映像を再生する機能を有する電子機器である。映像には、静止画および動画が含まれる。表示装置２は、記録メディア２５に予め保存されている映像（録画番組等）を再生したり、外部から映像（放送番組等）を取得して再生したりすることができる。詳しくは後述するが、表示装置２はワイヤレスカメラ４と連携して動作する。
【００３６】
ワイヤレスカメラ４は、被写体を撮影してその映像を生成し、無線で表示装置２に送信する機能を有する電子機器である。ワイヤレスカメラ４は充電池４４を内蔵し、外部からの電力供給を受けることなく、一定時間、動作することができる。詳しくは後述するが、ワイヤレスカメラ４は表示装置２と連携して動作する。
【００３７】
（録画表示システム１の利用形態）
本実施形態では、録画表示システム１は、ユーザ６が自身のゴルフスイングの出来をチェックする用途に用いられる。図２は、本実施形態における録画表示システム１の利用形態を示す図である。ユーザ６は、表示装置２からワイヤレスカメラ４を取り外し、所望の場所に配置する。本実施形態では、ユーザ６が、ワイヤレスカメラ４の被写体である。ユーザ６は、表示装置２の前に立ち、ゴルフのスイングを練習する。ワイヤレスカメラ４は、ユーザ６の後方に配置されており、ユーザ６を背後から撮影する。撮影動画はワイヤレスカメラ４から表示装置２に無線で送信される。表示装置２は、受信した撮影動画を記録メディア２５に保存しながら画面の右側に表示する。さらに、模範者であるプロゴルファーのスイングをプロゴルファーの背後から撮影した模範動画（模範映像）を、画面の左側に表示する。すなわち、これらの動画を１つの画面に複数分割表示する。模範動画は、表示装置２が事前に外部から取得したものである。
【００３８】
図２に示すように、両動画における撮影方向は互いに同一（すなわちユーザ６の背後）である。したがってユーザ６は、画面上に並べられた撮影動画と模範動画とを容易に見比べることができる。これにより、自身のゴルフスイングの出来をチェックすることができる。
【００３９】
（内部処理の流れ）
録画表示システム１における動画の撮影、録画、および表示処理の流れについて、以下に順を追って説明する。
【００４０】
まず、撮影部４２がカメラモジュール４１を制御することによって、ユーザ６（被写体）を撮影しその映像をフレームごとに生成する。これにより撮影部４２は、ユーザ６の動画を撮影する。撮影部４２は、各フレームにおいて生成した画像を、いったん、一時メモリ４３に保存する。そして、一時メモリ４３上で映像をチェックし、問題がなければ無線通信部２６に出力する。無線通信部２６は、入力された映像を、リアルタイムかつダイレクトに、無線で表示装置２に送信する。
【００４１】
一時メモリ４３にはあくまでも映像が一時的に保存される。すなわち、撮影動画が一時メモリ４３に長期的に蓄積されることはない。録画表示システム１では、撮影動画の保存機能はワイヤレスカメラ４ではなく表示装置２が有している。
【００４２】
ワイヤレスカメラ４から送信された映像を、表示装置２において、無線通信部４６が受信する。無線通信部４６は、受信した映像を録画部２４に出力する。録画部２４は、受信した各フレームの映像を、再生部２３に出力すると共に、記録メディア２５に録画する。その際、各フレームの映像を順次関連づけて録画することによって、結果的に、ワイヤレスカメラ４によって撮影されたユーザ６の撮影動画を、記録メディア２５に録画する。
【００４３】
再生部２３は、入力された映像を、リアルタイムで表示パネル２２に表示する。これにより、ワイヤレスカメラ４によって撮影された撮影動画が、表示装置２においてリアルタイムに表示される。
【００４４】
（ワイヤレスカメラ４の装着）
表示装置２の上部には、カメラモジュール４１を装着するための箇所がある。図３は、表示装置２におけるカメラモジュール４１の装着箇所を説明するための図である。この図に示すように、ワイヤレスカメラ４の形状は円筒型である。ワイヤレスカメラ４の一部にカメラモジュール４１が設けられている。カメラモジュール４１内のカメラレンズは、ワイヤレスカメラ４の側面に相当する位置に、カメラレンズが露出している。
【００４５】
ワイヤレスカメラ４の装着箇所は、円筒型のワイヤレスカメラ４が装着可能なように、ワイヤレスカメラ４の外形に合った形状を有している。ワイヤレスカメラ４は、この装着箇所に装着される。装着箇所の表面には、電源プラス端子２８ａ、信号制御端子２８ｂ、信号制御端子２８ｃ、および電源プラス端子２８ｄが設けられている。これらの端子は、いずれもワイヤレスカメラ４と同様に円形であり、同心円上に形成されている。
【００４６】
ワイヤレスカメラ４の裏面には、電源プラス端子４８ａ、信号制御端子４８ｂ、信号制御端子４８ｃ、および電源マイナス端子４８ｄが設けられている。これらの端子は、いずれもワイヤレスカメラ４と同様に円形であり、同心円上に形成されている。ワイヤレスカメラ４の裏面を装着箇所の表面に対向させるようにして、ワイヤレスカメラ４を装着箇所に装着する。これにより、電源プラス端子２８、信号制御端子２８ｂ、信号制御端子２８ｃ、および電源マイナス端子２８ｄが、電源プラス端子４８ａ、信号制御端子４８ｂ、信号制御端子４８ｃ、および電源マイナス端子４８ｄにそれぞれ接触する。各端子はいずれも円形であるので、ワイヤレスカメラ４を装着状態で左右にどのように回転させても、端子同士の接触は維持されたままである。これにより、ワイヤレスカメラ４の回転状態に関わらず、有線による電力供給および信号伝達が可能となっている。
【００４７】
（充電池４４の充電）
ワイヤレスカメラ４が表示装置２に装着されているとき、表示装置２に外部から供給されている電力が、表示装置２内部の電力配線から電源プラス端子２８ａ，２８ｂ，４８ａ，４８ｂを介してワイヤレスカメラ４内部の電力配線に供給され、最終的に充電池４４に充電される。このように、表示装置２はワイヤレスカメラ４の充電器としての機能を有する。したがって、専用の充電器は不要が不要になる。
【００４８】
（撮影方向の調整）
図４は、表示装置２に装着されたワイヤレスカメラ４の撮影方向の調整方法を説明する図である。この図に示すように、ワイヤレスカメラ４は、表示装置２に装着された状態において、左右方向に自在に回転可能である。これにより、カメラモジュール４１の撮影方向を左右に変更可能である。一方、カメラモジュール４１は、上下方向に向きを変えられる。これにより、カメラモジュール４１の撮影方向を上下に変えられる。
【００４９】
（動画保存）
記録メディア２５は「一般のフォルダ」を有する。外部から取得した模範動画は、まず、このフォルダに保存される。表示装置２が、一般のフォルダ内の模範動画を再生しているとき、ユーザ６がワイヤレスカメラ４のスイッチを入れると、表示パネル２２の画面が２画面になる。これにより、模範動画（プロスイング動画）と撮影動画（ユーザ６のスイング動画）が同じ、画面に並んで表示される。
【００５０】
記録メディア２５には、さらに、「動画保存フォルダ」および「カメラ保存フォルダ」を有する。表示装置２は、２画面表示の対象として模範動画を、自動的に、一般のフォルダから動画保存フォルダに移動させる。また、模範動画と同時に表示した撮影動画を、模範動画に関連づけて、動画保存フォルダと一対になったカメラ保存フォルダに保存する。同じ撮影動画を再生中に、ワイヤレスカメラ４のスイッチが繰り返しオンされると、そのたびに撮影された撮影動画は、すべて、当該同じ撮影動画に関連づけて保存される。その際、表示装置２は、各撮影動画を撮影時刻順にカメラ保存フォルダに保存する。
【００５１】
表示装置２は、模範動画をスロー再生することもできる。たとえば、通常の半分の速度で模範動画を再生する。模範動画のスロー再生中に撮影されたユーザ６の動画は、当該模範動画に関連づけて保存される。
【００５２】
（動画再生）
図５は、表示パネル２２の画面に表示される、模範動画および撮影動画の一覧を示す図である。この図に示すように、表示装置２は、動画保存フォルダ内の模範動画と、カメラ保存フォルダ内の撮影動画とを、一覧にして画面に表示する。図５の例では、動画保存フォルダ内の「プロスイング動画  スピード１／１」と、「プロスイング動画  スピード１／２」の名称を縦並びにして、画面の左側に表示する。前者は通常の速度で再生される模範動画であり、後者は通常の２分の１の速度で再生される模範動画である。表示装置２は、各模範動画に対応する、動画保存フォルダ内の撮影動画の名称を、画面の右側に縦並びに表示する。その際、対応する模範動画と撮影動画とを一対にして表示する。また、ある模範動画に対応する撮影動画が複数保存されている場合、表示装置２は、それらの一覧を撮影時刻順に表示する。
【００５３】
ユーザ６は、画面に表示された撮影動画の一覧から、いずれか１つを選択する。これにより表示装置２は、選択された撮影動画と、当該撮影動画に対応する模範動画とを、２画面表示する。複数の撮影動画を撮影時刻（日付）順に再生することによって、ユーザ６は、各撮影動画を同じ模範動画と比較しながら順に見ることができる。これによりユーザ６は、ゴルフスイングの改善具合および成長度合いを、簡単に確認することができる。
【００５４】
（本実施形態の利点）
本実施形態の録画表示システム１では、ワイヤレスカメラ４を表示装置２から取り外し、ユーザ６（被写体）を所望の角度で撮影できる場所に配置することができる。したがって、模範動画に映し出されるプロゴルファーがどのような角度から撮影されていたとしても、それと同じ角度でユーザ６を撮影することができる。これにより、ユーザ６は、自身がチェックしたい方向から見たプロゴルファーのゴルフスイングを撮影した模範動画を手に入れさえすれば、同じ方向から見たプロゴルファーの動作と自身の動作とを、表示パネル２２の画面上で確実に見比べることができる。
【００５５】
録画表示システム１では、また、３６０度いかなる方向から撮影されたプロゴルファーの動画も、模範動画（練習教材）としての役割を果たすことができる。したがって、ユーザ６が普段当たり前のようにリーズナブルな手段で入手しているテレビの録画番組（ゴルフの中継番組等）であっても、十分に、模範動画として利用できる。このように、ユーザ６は模範動画を安価または無料で取得することができる。すなわち、本実施形態の録画表示システム１は、一般の消費者にとって現実的に利用可能なものである。
【００５６】
模範動画は、模範者の動作を撮影した動画であれば、どのようなものであってもよい。たとえば、プロダンサーのダンスステップを撮影した動画でもよい。
【００５７】
（有線での動画送信）
ワイヤレスカメラ４が表示装置２に装着されているとき、ワイヤレスカメラ４とワイヤレスカメラ４との通信は、無線ではなく有線で行われる。ワイヤレスカメラ４では、検出部４５が、ワイヤレスカメラ４内部の電力配線を流れる電流量に基づき、ワイヤレスカメラ４が表示装置２に装着されているか否かをチェックしている。そして、未装着から装着状態に変わったことを検出したときに、撮影部４２に対して、撮影動画の出力先を無線通信部４６から有線通信部４７に変更するように指示する。これにより、撮影動画の送信が、無線通信部４６ではなく有線通信部４７によって行われるようになる。結果、撮影動画を表示装置２に送信する際の安定性を高めることができる。
【００５８】
〔第２実施形態〕
本発明に係る第２の実施形態について、図６を参照して以下に説明する。なお、上述した第１の実施形態と共通する各部材には同じ符号を付し、詳細な説明を省略する。
【００５９】
本実施形態では、録画表示システム１は、飼い主（ユーザ６）の不在時における自宅内のペット８の様子を長時間録画する用途に用いられる。図６は、本実施形態における録画表示システム１の利用形態を示す図である。
【００６０】
本実施形態では、ワイヤレスカメラ４は表示装置２に装着されている。録画表示システム１は、長時間録画モードで動作する。ユーザ６は、表示装置２の電源がオンされているときに、ワイヤレスカメラ４のスイッチを入れる。これにより撮影動画がワイヤレスカメラ４から表示装置２に転送され表示パネル２２の画面に表示される。ユーザ６は、画面に映し出される映像を見ながらワイヤレスカメラ４を上下左右に調整する。最終的に、ペット８が一番長く居る場所を撮影できるように、ワイヤレスカメラ４の撮影方向をセットする。
【００６１】
ユーザ６は、ワイヤレスカメラ４の位置調整を終えると、電源スイッチ２１を押下して、表示装置２の電源をオフにする。このとき表示装置２は、撮影動画の受信および録画に関わる部材への電力供給は続ける。一方、撮影動画の表示に関わる部材への電力供給を停止する。これにより、少なくとも表示パネル２２の電源がオフされる。
【００６２】
表示装置２は、電源がオフされた事実を、何らかの方法でワイヤレスカメラ４に伝える。たとえば、所定の制御信号を有線でワイヤレスカメラ４に送信する。ワイヤレスカメラ４は、この制御信号を受信すると、長時間撮影を開始する。撮影されたペット８の動画は、リアルタイムで表示装置２に送信され、記録メディア２５内に長時間録画される。
【００６３】
ユーザ６は、外出先から帰宅して電源スイッチ２１を入れ、表示装置２の電源をオンさせる。表示装置２は、電源がオンされた事実を、何らかの方法でワイヤレスカメラ４に伝える。たとえば、所定の制御信号を有線であるワイヤレスカメラ４に送信する。ワイヤレスカメラ４は、この制御信号を受信すると、撮影を停止する。なお、録画表示システム１では、通常の録画装置と同様に、録画時間設定画面を通じて、録画開始時刻および録画停止時刻を予約設定することももちろん可能である。
【００６４】
（本実施形態の利点）
本実施形態では、ペット８の撮影は、表示装置２の画面がオフされているときに行われる。したがって、ペット８が画面に映し出された自身の動画を見て興奮してしまい、いつもとは違った状態になることはない。これにより、ペット８の自然な様子を撮影し、録画することができる。なお、図６では、表示パネル２２の画面にペット８の映像が描かれているが、これは図６の形態において生成されるおいて映像がペット８を表すものであることをイメージとして説明するための措置に過ぎない。実際には、ペット８の撮影中に、表示パネル２２の画面にはペット８の映像が表示されない。
【００６５】
現在、ウェブカメラ等で撮影した自宅内外の画像を、携帯電話で確認できるシステムが知られている。このようなシステムは、実際にはあまり活用されてない。たとえば、ユーザは外出時には忙しくて画像を見る暇がない場合が多い。また、ペットが好きなユーザにとっては、自宅に戻ってからゆっくり落ち着いてペットの様子を録画した動画を見る方が、確実な付加価値機能として認識されやすい。したがって、家電製品の中心的存在である液晶テレビに本実施形態の機能を付与することによって、一人でペットと暮らしているユーザ６に対して、とても魅力的な機能を有するテレビであると強くアピールすることができる。
【００６６】
（その他の工夫）
本実施形態の録画表示システム１は、ユーザ６の留守時において、寝たきりの老人などの家人の様子を録画する用途にも適用可能である。ユーザ６は、撮影動画を見ることによって、留守時に家人に異常が生じたか否かを確認することができる。
【００６７】
本実施形態では、録画表示システム１に、長時間録画された動画を、超高速再生（１２０倍速再生等）のみが出来るよう機能を持たせてもよい。１２０倍速再生すれば、２時間の動画を１分で再生できる。ユーザ６は、動画の超高速再生中に、気になった箇所を通常再生して確認することもできる。
【００６８】
〔第３実施形態〕
本発明に係る第３の実施形態について、図７〜図８を参照して以下に説明する。なお、上述した第１および第２の実施形態と共通する各部材には同じ符号を付し、詳細な説明を省略する。
【００６９】
図７は、本実施形態の録画表示システム１の利用形態を示す図である。本実施形態の録画表示システム１は、４台のワイヤレスカメラ４を備えている。各ワイヤレスカメラ４は、ユーザ６の自宅内の異なる場所に配置される。録画表示システム１は、表示装置２と、各ワイヤレスカメラ４とを接続する４本の接続ケーブル１０をさらに備えている。なお、図７にはそのうち３本の接続ケーブル１０のみを図示している。表示装置２の背面には、有線接続ジャックが４つ設けられている。各接続ケーブル１０の一端は、いずれかの有線接続ジャックに接続される。一方、各接続ケーブル１０の他端は、ワイヤレスカメラ４の裏面にある各端子に接続される。これにより、表示装置２と、各ワイヤレスカメラ４とが、有線接続される。
【００７０】
表示装置２は、接続ケーブル１０を通じて、ワイヤレスカメラ４に電力を供給する。また、接続ケーブル１０を通じて、ワイヤレスカメラ４に撮影開始信号および撮影停止信号を送信する。一方、ワイヤレスカメラ４は、接続ケーブル１０を通じて、撮影映像を表示装置２に送信する。このように、接続ケーブル１０は電力供給、信号送信、および撮影動画転送の機能を兼ね備えている。
【００７１】
（動画保存）
記録メディア２５は、ワイヤレスカメラ４ごとに用意される専用の保存フォルダを有している。ユーザ６は、各ワイヤレスカメラ４に対し、長時間録画を設定する。表示装置２は、各ワイヤレスカメラ４が撮影した動画を、対応する保存フォルダに保存する。
【００７２】
図８は、表示パネル２２の画面に表示される、撮影動画の一覧を示す図である。この図に示すように、表示装置２は、各保存フォルダに保存されている撮影動画の名称を、それぞれ一覧にして画面に表示する。ユーザ６は、画面に表示された一覧の中から、いずれか１つの撮影動画を選択する。すると表示装置２は、ユーザ６が選択した撮影動画の名称を、画面上において反転表示する。さらに、当該撮影動画と同時刻に他のワイヤレスカメラ４によって同時刻に生成された撮影動画の名称も、同様に反転表示する。ここで、ユーザ６が所定の再生ボタンを押下すると、表示装置２は、画面上において反転表示された名称の各撮影動画を、同時に再生する。これにより、最大で４つの撮影動画を４画面で表示する。また、これらの撮影動画を高速再生することも可能である。
【００７３】
同時刻に撮影された撮影動画が一つのみしかなくても、ユーザ６は、各保存フォルダ内の撮影動画を一つずつ、個別に選択し、再生させることができる。たとえば図７の例では、ユーザ６は、第１のワイヤレスカメラ４に対応する保存フォルダからは玄関のセキュリティ動画を選択し、第２のワイヤレスカメラ４に対応する保存フォルダからは第１のベランダのセキュリティ動画を選択し、第３のワイヤレスカメラ４に対応する保存フォルダからは第２のベランダのセキュリティ動画を選択し、第４のワイヤレスカメラ４に対応する保存フォルダからはペットの留守中の撮影動画を選択している。表示装置２は、これら４つの動画を同時に超高速再生（１２０倍速再生等）することもできる。また、任意の動画を、気になったところで通常再生させ、内容を確認できるようにすることもできる。
【００７４】
第２実施形態と同様に、本実施形態でも、表示パネル２２の電源をオフした状態で、各ワイヤレスカメラ４による撮影を行うことができる。したがって、低消費電力でセキュリティ機能を活用することができる。
【００７５】
（本実施形態の利点）
本実施形態の録画表示システム１が提供するセキュリティ機能と同等の機能を従来の技術で実現しようとすれば、専用の複雑なシステムを構築しなければならない。したがって、高額の費用が必要となる。一方、本実施形態の録画表示システム１は、録画表示システム１を構成する表示装置２と、ワイヤレスカメラ４と、接続ケーブル１０とを購入するだけで簡単に実現できる。これは、一般消費者にとっては、液晶テレビ等に対する追加投資のみで、本実施形態の機能を利用できることを意味する。したがって、液晶テレビ等を防犯家電商品に位置づけることができる。
【００７６】
各ワイヤレスカメラ４は、有線ではなく無線で撮影動画を表示装置２に送信してもよい。たとえば、ワイヤレスカメラ４が接続ケーブル１０に接続されているときは、撮影動画を有線送信し、接続ケーブル１０に接続されていないときは無線送信する。
【００７７】
本発明は上述した各実施形態に限定されるものではない。当業者は、請求項に示した範囲内において、本発明をいろいろと変更できる。すなわち、請求項に示した範囲内において、適宜変更された技術的手段を組み合わせれば、新たな実施形態が得られる。
【００７８】
（長時間録画の予約）
ユーザ６は、録画表示システム１に長時間録画の予約を事前に登録することができる。その手順は次の通りである。まず、表示装置２の電源がオフされている状態で、ワイヤレスカメラ４を表示装置２から取り外す。これにより表示装置２が、ワイヤレスカメラ４へ供給する電力の変化を検知する。その結果に基づき、表示装置２は、自動で電源をオンし、かつ、長時間録画モードの設定を促す画面を表示する。ユーザ６は、ワイヤレスカメラ４を、撮影を位置（たとえばペットが好む位置等）に設置する。その後、表示装置２の画面で録画時間を設定する。たとえば、２時間後に録画を開始して４時間後に終了する、という条件を設定する。設定終了後、ユーザ６は、表示装置２の電源をオフする。これにより、長時間録画の予約が録画表示システム１に登録される。
【産業上の利用可能性】
【００７９】
本発明に係る録画表示システムは、被写体を撮影してその映像を生成し、その映像を表示かつ録画する録画表示システムとして、幅広く利用することができる。
【符号の説明】
【００８０】
１  録画表示システム
２  表示装置
４  ワイヤレスカメラ
６  ユーザ
８  ペット
２１  電源スイッチ
２２  表示パネル
２３  再生部
２４  録画部
２５  記録メディア
２６  無線通信部
２７  有線通信部
４１  カメラモジュール
４２  撮影部
４３  一時メモリ
４４  充電池
４５  検出部
４６  無線通信部
４７  有線通信部
【図１】
2014011588.tif 000003
【図２】
2014011588.tif 000004
【図３】
2014011588.tif 000005
【図４】
2014011588.tif 000006
【図５】
2014011588.tif 000007
【図６】
2014011588.tif 000008
【図７】
2014011588.tif 000009
【図８】
2014011588.tif 000010